(57)【要約】  基地局において、信号割当部は、複数のアンテナポートがグループ化された少なくとも１つのグループにそれぞれ含まれるアンテナポートのうちの一部のアンテナポートに、位相トラッキング用参照信号をマッピングする。上記グループは、複数のアンテナポート毎に測定された位相雑音の測定値に基づいて決定されている。送信部は、データ信号及び位相トラッキング用参照信号を送信する。
2019031096.tif 000002
【特許請求の範囲】
【請求項１】
複数のアンテナポートがグループ化された少なくとも１つのグループにそれぞれ含まれるアンテナポートのうちの一部のアンテナポートに、位相トラッキング用参照信号をマッピングし、前記グループは、前記複数のアンテナポート毎に測定された位相雑音の測定値に基づいて決定されている、割当回路と、
データ信号及び前記位相トラッキング用参照信号を送信する送信回路と、
を具備する送信機。
【請求項２】
前記複数のアンテナポートのうち、前記測定値が同一であるアンテナポートは同一の前記グループに属し、前記測定値が異なるアンテナポートは互いに異なる前記グループにそれぞれ属する、
請求項１に記載の送信機。
【請求項３】
前記送信回路は、さらに、前記グループと、前記グループに属するアンテナポートとの対応付けを示す情報を受信機に送信する、
請求項１に記載の送信機。
【請求項４】
データ信号、及び、送信機の複数のアンテナポートがグループ化された少なくとも１つのグループにそれぞれ含まれるアンテナポートのうちの一部のアンテナポートから送信された位相トラッキング用参照信号を受信し、前記グループは、前記複数のアンテナポート毎に測定された位相雑音の測定値に基づいて決定されている、受信回路と、
前記位相トラッキング用参照信号から推定される位相雑音推定値を用いて、前記データ信号を復調する復調回路と、
を具備し、
前記復調回路は、前記グループに含まれる前記一部のアンテナポート以外の他のアンテナポートに対する位相雑音推定値として、前記一部のアンテナポートに対する前記位相雑音推定値を用いる、
受信機。
【請求項５】
複数のアンテナポートがグループ化された少なくとも１つのグループにそれぞれ含まれるアンテナポートのうちの一部のアンテナポートに、位相トラッキング用参照信号をマッピングし、前記グループは、前記複数のアンテナポート毎に測定された位相雑音の測定値に基づいて決定され、
データ信号及び前記位相トラッキング用参照信号を送信する、
送信方法。
【請求項６】
データ信号、及び、送信機の複数のアンテナポートがグループ化された少なくとも１つのグループにそれぞれ含まれるアンテナポートのうちの一部のアンテナポートから送信された位相トラッキング用参照信号を受信し、前記グループは、前記複数のアンテナポート毎に測定された位相雑音の測定値に基づいて決定され、
前記位相トラッキング用参照信号から推定される位相雑音推定値を用いて、前記データ信号を復調し、
前記データ信号の復調において、前記グループに含まれる前記一部のアンテナポート以外の他のアンテナポートに対する位相雑音推定値として、前記一部のアンテナポートに対する前記位相雑音推定値が用いられる、
受信方法。
【請求項７】
送信機の複数のアンテナポート毎に位相雑音の測定値が測定され、
前記位相雑音の測定値に基づいて、前記複数のアンテナポートが少なくとも１つのグループにグループ化され、
前記少なくとも１つのグループにそれぞれ含まれるアンテナポートのうちの一部のアンテナポートに、位相トラッキング用参照信号をマッピングし、
データ信号及び前記位相トラッキング用参照信号を送信し、
前記データ信号、及び、前記グループに含まれる前記一部のアンテナポートから送信された前記位相トラッキング用参照信号を受信し、
前記位相トラッキング用参照信号から推定される位相雑音推定値を用いて、前記データ信号を復調し、
前記データ信号の復調において、前記グループに含まれる前記一部のアンテナポート以外の他のアンテナポートに対する位相雑音推定値として、前記一部のアンテナポートに対する前記位相雑音推定値が用いられる、
通信方法。
【発明の詳細な説明】
【技術分野】
【０００１】
本開示は、送信機、受信機、送信方法、受信方法及び通信方法に関する。
【背景技術】
【０００２】
第５世代移動通信システム（5G）と呼ばれる通信システムが検討されている。5Gでは、通信トラフィックの増大、接続する端末数の増大、高信頼性、低遅延のそれぞれが必要とされるユースケース毎に機能を柔軟に提供することが検討されている。代表的なユースケースとして、拡張モバイルブロードバンド（eMBB：enhanced Mobile Broadband）、大規模コミュニケーション/多数接続（mMTC：massive Machin Type Communications）、超信頼性・低遅延コミュニケーション（URLLC：Ultra Reliable and Low Latency Communicant)の３つがある。国際標準化団体である3GPP（3rd Generation Partnership Project）では、LTEシステムの高度化と、New RAT（Radio Access Technology）（例えば、非特許文献１を参照）の両面から、通信システムの高度化を検討している。
【先行技術文献】
【非特許文献】
【０００３】
【非特許文献１】RP-161596, "Revision of SI: Study on New Radio Access Technology", NTT DOCOMO, September 2016
【非特許文献２】R1-1612335, "On phase noise effects", Ericsson, November 2016
【非特許文献３】R1-1709939, "PT-RS for CP-OFDM", Huawei, HiSilicon, June 2017
【発明の概要】
【０００４】
New RATでは、例えば、6GHz以上の周波数の信号が搬送波として利用される。特に、高い周波数帯かつ高次の変調多値数（Modulation order）を使用する場合、局部発振器（Local Oscillator）の位相雑音（Phase Noise）によって発生するCPE（Common Phase Error、共通位相誤差）又はICI（Inter-carrier Interference、キャリア間干渉）によって誤り率特性が劣化する（例えば、非特許文献２を参照）。そこで、New RATでは、受信機が、チャネル等化（Channel Equalization）に加えて、位相トラッキング用参照信号（PT-RS：Phase Tracking Reference Signal）を用いたCPE補正（CPE Correction）又はICI補正（ICI Correction）（以下、「CPE/ICI補正」と呼ぶこともある）を行うことが検討されている。
【０００５】
しかしながら、PT-RSを送信するアンテナポート（「PT-RSポート」と呼ぶこともある）数を決定する方法については更なる検討が必要である。
【０００６】
本開示の一態様は、PT-RSを適切なアンテナポートから送信することができる送信機、受信機、送信方法、受信方法及び通信方法の提供に資する。
【０００７】
本開示の一態様に係る送信機は、複数のアンテナポートがグループ化された少なくとも１つのグループにそれぞれ含まれるアンテナポートのうちの一部のアンテナポートに、位相トラッキング用参照信号をマッピングし、前記グループは、前記複数のアンテナポート毎に測定された位相雑音の測定値に基づいて決定されている、割当回路と、データ信号及び前記位相トラッキング用参照信号を送信する送信回路と、を具備する。
【０００８】
本開示の一態様に係る受信機は、データ信号、及び、送信機の複数のアンテナポートがグループ化された少なくとも１つのグループにそれぞれ含まれるアンテナポートのうちの一部のアンテナポートから送信された位相トラッキング用参照信号を受信し、前記グループは、前記複数のアンテナポート毎に測定された位相雑音の測定値に基づいて決定されている、受信回路と、前記位相トラッキング用参照信号から推定される位相雑音推定値を用いて、前記データ信号を復調する復調回路と、を具備し、前記復調回路は、前記グループに含まれる前記一部のアンテナポート以外の他のアンテナポートに対する位相雑音推定値として、前記一部のアンテナポートに対する前記位相雑音推定値を用いる。
【０００９】
本開示の一態様に係る送信方法は、複数のアンテナポートがグループ化された少なくとも１つのグループにそれぞれ含まれるアンテナポートのうちの一部のアンテナポートに、位相トラッキング用参照信号をマッピングし、前記グループは、前記複数のアンテナポート毎に測定された位相雑音の測定値に基づいて決定され、データ信号及び前記位相トラッキング用参照信号を送信する。
【００１０】
本開示の一態様に係る受信方法は、データ信号、及び、送信機の複数のアンテナポートがグループ化された少なくとも１つのグループにそれぞれ含まれるアンテナポートのうちの一部のアンテナポートから送信された位相トラッキング用参照信号を受信し、前記グループは、前記複数のアンテナポート毎に測定された位相雑音の測定値に基づいて決定され、前記位相トラッキング用参照信号から推定される位相雑音推定値を用いて、前記データ信号を復調し、前記データ信号の復調において、前記グループに含まれる前記一部のアンテナポート以外の他のアンテナポートに対する位相雑音推定値として、前記一部のアンテナポートに対する前記位相雑音推定値が用いられる。
【００１１】
本開示の一態様に係る通信方法は、送信機の複数のアンテナポート毎に位相雑音の測定値が測定され、前記位相雑音の測定値に基づいて、前記複数のアンテナポートが少なくとも１つのグループにグループ化され、前記少なくとも１つのグループにそれぞれ含まれるアンテナポートのうちの一部のアンテナポートに、位相トラッキング用参照信号をマッピングし、データ信号及び前記位相トラッキング用参照信号を送信し、前記データ信号、及び、前記グループに含まれる前記一部のアンテナポートから送信された前記位相トラッキング用参照信号を受信し、前記位相トラッキング用参照信号から推定される位相雑音推定値を用いて、前記データ信号を復調し、前記データ信号の復調において、前記グループに含まれる前記一部のアンテナポート以外の他のアンテナポートに対する位相雑音推定値として、前記一部のアンテナポートに対する前記位相雑音推定値が用いられる。
【００１２】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１３】
本開示の一態様によれば、PT-RSを適切なアンテナポートから送信することができる。
【００１４】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１５】
【図１】図１は、MIMOにおけるDMRS及びPT-RSのマッピング例を示す。
【図２】図２は、実施の形態１に係る基地局の一部の構成を示す。
【図３】図３は、実施の形態１に係る移動局の一部の構成を示す。
【図４】図４は、実施の形態１に係る基地局の構成を示す。
【図５】図５は、実施の形態１に係る移動局の構成を示す。
【図６】図６は、実施の形態１に係る基地局及び移動局の処理を示す。
【図７】図７は、実施の形態１に係る通知パラメータの一例を示す。
【図８】図８は、実施の形態２に係る移動局の構成を示す。
【図９】図９は、実施の形態２に係る基地局の構成を示す。
【図１０】図１０は、実施の形態２に係る基地局及び移動局の処理を示す。
【発明を実施するための形態】
【００１６】
以下、本開示の実施の形態について図面を参照して詳細に説明する。
【００１７】
信号が割り当てられる周波数帯が高いほど、又は、信号に使用される変調多値数が高いほど、誤り率特性に対するCPE/ICIの影響は大きい。そこで、上述したように、高い周波数帯・高次の変調多値数を使用する場合には、受信機では、チャネル等化に加えて、PT-RSを用いたCPE/ICI補正を行うことが検討されている。
【００１８】
PT-RSは、時間的にランダムに変動するCPE/ICIをトラッキングするために、チャネル推定用（復調用）の参照信号（DMRS：Demodulation Reference Signal）と比較して時間軸上に高密度にマッピングされる。具体的には、PT-RSは、シンボル毎、隣接する２シンボルのうち１シンボル、又は、隣接する４シンボルのうち１シンボル等の密度でマッピングされることが想定されている。また、CPE/ICIのサブキャリア間での変動は少ないという特性から、PT-RSは、周波数領域では比較的低密度にマッピングされる。具体的には、PT-RSは、RB（Resource Block）毎に1つ（例えば、１サブキャリア）、隣接する２RB毎に１つ、又は、隣接する４RB毎に１つ等の密度でマッピングされることが想定される。
【００１９】
3GPP RAN1#88でのPT-RSに関する合意事項によると、PT-RSは、基地局（BS、eNB、gNB）と、上位レイヤシグナリング（例えば、RRC（Radio Resource Control)シグナリング）によって基地局から通知された移動局（端末、UE）との間で使用される。また、PT-RSの時間領域及び周波数領域での配置密度は、当該基地局と移動局との間で使用される変調多値数又は帯域幅等によって柔軟に変化することが想定されている。
【００２０】
また、移動局がPT-RSの配置密度を判断する方法について検討されている。一つの方法としては、PT-RSの配置密度が、基地局からPT-RS専用の制御信号（例えば、DCI（Downlink Control Information）又はRRC信号等）によって通知されるという方法である（明示的通知/explicit indication）。他の方法としては、PT-RSの配置密度と他のパラメータ（例えば、変調多値数又は帯域幅等）との対応関係を決めておき、移動局が、通信時にDCIで通知される当該他のパラメータとその対応関係とを照合してPT-RSの配置密度を判断するという方法である（暗黙的通知/implicit indication）。なお、これらの方法以外の方法が使用される可能性もある。
【００２１】
一方、チャネル推定に用いられるDMRSは、チャネル特性の周波数領域の変化が大きく、また、時間領域の変化が位相雑音ほど大きくないことから、PT-RSと比較して周波数領域には高密度に、時間領域には低密度にマッピングされる。さらに、New RATでは、データ復調のタイミングを早めるため、スロットの前方に配置されるfront-loaded DMRSの導入が想定されている。
【００２２】
また、PT-RSには、DMRSを送信するアンテナポート（DMRSポートと呼ぶこともある）と同じプリコーディングが適用されることが検討されており、PT-RSはDMRSの一部として定義されることも考えられる。この場合、PT-RSとして使用されるDMRSは、他のDMRSよりも時間領域では高密度にマッピングされ、周波数領域では低密度にマッピングされる。また、位相雑音により発生するCPE/ICIの補正に使用する参照信号は、「PT-RS」とは異なる名称で呼ばれる可能性もある。
【００２３】
また、New RATでは、MIMO（Multiple Input Multiple Output）が使用されることが想定されている。すなわち、基地局、および、当該基地局が構成するセル内の１つ又は複数の移動局は、同じ時間・周波数リソースを用いる異なるビーム（プリコーディング）に対応する複数のアンテナポートを用いて送受信することができる。
【００２４】
また、New RATでは、下りリンク（基地局から移動局への方向、downlink）においてCP-OFDM（Cyclic Prefix - Orthogonal Frequency Division Multiplexing）方式の使用が想定されている。一方、上りリンク（移動局から基地局への方向、uplink)においてCP-OFDM方式及びDFT-S-OFDM（Discrete Fourier Transform - Spread OFDM）方式の両方が検討されており、通信環境に合わせて通信方式を切り替えるなどして使用されることが想定されている。
【００２５】
PT-RSは、基地局と、当該基地局が構成するセル内の移動局との間で送受信される。ここで、送信機（下りリンクでは基地局、上りリンクでは移動局）の局部発振器を共有するアンテナポートの集合（グループ）では、CPE/ICIの値が同じであることがあり得る。このため、CPE/ICIがほぼ等しければ、このグループのうち何れかのアンテナポートからPT-RSが送信機から送信され、受信機（下りリンクでは移動局、上りリンクでは基地局）で当該アンテナポートのCPE/ICIが推定されることにより、受信機は、グループ内の残りのアンテナポートのCPE/ICIも推定できる。よって、データを送受信するアンテナポート数よりも、PT-RSを送受信するアンテナポート数が少なくなることもあり得る。
【００２６】
図１は、CP-OFDM方式のMIMOにおけるDMRS及びPT-RSのマッピング例を示す。DMRS及びPT-RSがマッピングされたRE（Resource Element）内の数字はアンテナポート番号を表す。すなわち、図１において同じ番号のDMRS及びPT-RSはプリコーディングを共有している。
【００２７】
図１では、一例として、３つのアンテナポート（1-3）を用いたMIMO伝送が行われ、各アンテナポートのCPE/ICIがほぼ同じであると仮定する。図１では、DMRSは各アンテナポートにマッピングされる一方、PT-RSは、アンテナポート1-3のうち、アンテナポート1にマッピングされている。
【００２８】
ここで、PT-RSを送信するアンテナポート（PT-RSポート）の数を、移動局又は基地局に実装されている局部発振器の個数に依存して決定する方法が検討されている（例えば、非特許文献３を参照）。
【００２９】
しかしながら、各局部発振器における実際のCPE/ICIの違いが、受信機側でのCPE/ICI補正にどのくらいの影響を与えるかは、実装される局部発振器の実際の性能次第である。すなわち、異なる局部発振器で信号が変調されるアンテナポート群であったとしても、受信機から見ると、これらのアンテナポート群のCPE/ICIがほぼ同じと見なせる場合もあり得る。この場合、これらのアンテナポート群に対して複数のPT-RSをそれぞれマッピングすることはリソースの無駄な消費となってしまう。
【００３０】
よって、PT-RSを受信する受信機（移動局又は基地局）から見て、CPE/ICI（つまり、位相雑音）の影響が等しいと見なせる送信機のアンテナポートの集合（アンテナポート数）を、送信機及び受信機の実装を考慮して決定することが必要である。つまり、PT-RS送信の設定のために、上記「アンテナポートの集合」をどのように定義及び識別し、PT-RSを送信するアンテナポート数をどのように決定するかについて更なる検討が必要である。
【００３１】
ちなみに、DMRSは、PT-RSと異なり、伝送に利用される全てのアンテナポートにそれぞれマッピングされることが大いにあり得る。この理由は、チャネル推定値がアンテナポートによって異なることが想定されるためである。
【００３２】
そこで、本開示の各実施の形態では、PT-RSの送信アンテナポート数を適切に決定し、PT-RSのオーバヘッドを低減することができる、アンテナポートへのPT-RSのマッピング方法について説明する。
【００３３】
［quasi-same phase noiseグループ］
本開示の一態様では、受信機から見て、あるアンテナポートが有するCPE/ICIが他のアンテナポートが有するCPE/ICIとほぼ同じであることが見なせる場合、ほぼ同一のCPE/ICIを有するこれらのアンテナポートの集合（グループ）を「quasi-same phase noiseグループ」と呼ぶ。すなわち、「quasi-same phase noiseグループ」に含まれるアンテナポートは、CPE/ICIが同一であるアンテナポート群として設定される。
【００３４】
例えば、送信機内の局部発振器に起因する位相雑音（CPE/ICI）の影響については、事前にテスト機器等によって測定されていてもよい（図示せず）。受信機から見た位相雑音（CPE/ICI）の測定値は、例えば、送信機の局部発振器に加え、ミキサ、クロック発生回路等の回路構成、又は、受信機におけるCPE/ICI補正の手法などに依存することが考えられる。送信機が備える複数のアンテナポートは、測定された位相雑音（CPE/ICI）の測定値に基づいて、少なくとも１つのquasi-same phase noiseグループにグループ化される。ここで、送信機の複数のアンテナポートのうち、CPE/ICIの測定値が同一であるアンテナポートは同一のquasi-same phase noiseグループに属し、CPE/ICIの測定値が異なるアンテナポートは互いに異なるquasi-same phase noiseグループにそれぞれ属することになる。
【００３５】
このように、本開示の一態様では、「quasi-same phase noiseグループ」なる概念を導入する。
【００３６】
（実施の形態１）
［通信システムの概要］
本実施の形態では、下りリンクのPT-RSのマッピング方法について説明する。
【００３７】
本実施の形態に係る通信システムは、基地局１００（送信機）及び移動局２００（受信機）を備える。例えば、基地局１００は、高い周波数帯かつ高度の変調多値数を用いる。
【００３８】
図２は、本実施の形態に係る基地局の基地局１００の一部の構成を示すブロック図である。図２に示す基地局１００において、信号割当部１０７は、複数のアンテナポートがグループ化された少なくとも１つのグループ（quasi-same phase noiseグループ）にそれぞれ含まれるアンテナポートのうちの一部のアンテナポートに、位相トラッキング用参照信号（PT-RS）をマッピングする。quasi-same phase noiseグループは、複数のアンテナポート毎に測定された位相雑音の測定値（CPE/ICI測定値）に基づいて決定されている。送信部１０８は、データ信号及び位相トラッキング用参照信号を送信する。
【００３９】
図３は、本実施の形態に係る移動局２００の一部の構成を示すブロック図である。図３に示す移動局２００において、受信部２０２は、データ信号、及び、送信機（基地局１００）の複数のアンテナポートがグループ化された少なくとも１つのグループ（quasi-same phase noiseグループ）にそれぞれ含まれるアンテナポートのうちの一部のアンテナポートから送信された位相トラッキング用参照信号（PT-RS）を受信する。quasi-same phase noiseグループは、複数のアンテナポート毎に測定された位相雑音の測定値（CPE/ICI測定値）に基づいて決定されている。復調部２０７は、位相トラッキング用参照信号から推定される位相雑音推定値を用いて、データ信号を復調する。なお、復調部２０７は、quasi-same phase noiseグループに含まれる一部のアンテナポート以外の他のアンテナポートに対する位相雑音推定値として、上記一部のアンテナポートに対する前記位相雑音推定値を用いる。
【００４０】
［基地局の構成］
図４は、本実施の形態に係る基地局１００（送信機）の構成を示すブロック図である。図４において、基地局１００は、制御部１０１と、PT-RS生成部１０２と、RRC生成部１０３と、DCI生成部１０４と、誤り訂正符号化部１０５と、変調部１０６と、信号割当部１０７と、送信部１０８と、アンテナ１０９と、を有する。
【００４１】
制御部１０１は、送受信に使用するアンテナポートのうち、どのアンテナポート群がquasi-same phase noiseグループであるかを示す情報（quasi-same phase noiseグループに関する情報）をRRC生成部１０３及び/又はDCI生成部１０４に出力する。
【００４２】
また、制御部１０１は、quasi-same phase noiseグループに関する情報に基づいて、PT-RSをマッピングするアンテナポートに対するスケジューリングを決定する。制御部１０１は、PT-RSのアンテナポートへのマッピングに関する情報（PT-RSに関する情報）を含むスケジューリング情報をPT-RS生成部１０２及び信号割当部１０７に出力する。なお、PT-RSに関する情報をDCIによって移動局２００へ通知する場合、制御部１０１は、PT-RSに関する情報を含むスケジューリング情報をDCI生成部１０４に出力してもよい。
【００４３】
PT-RS生成部１０２は、制御部１０１から入力されるスケジューリング情報に基づいて、PT-RSを生成し、生成したPT-RSを信号割当部１０７に出力する。
【００４４】
RRC生成部１０３は、quasi-same phase noiseグループに関する情報を制御部１０１から受け取ったときに、quasi-same phase noiseグループに関する情報を含むRRC信号を生成し、生成したRRC信号を誤り訂正符号化部１０５に出力する。
【００４５】
DCI生成部１０４は、quasi-same phase noiseグループに関する情報を制御部１０１から受け取ったときに、quasi-same phase noiseグループに関する情報を含むDCIを生成し、生成したDCIを信号割当部１０７に出力する。また、DCI生成部１０４は、PT-RSに関する情報をDCIによって移動局２００へ通知する場合、制御部１０１から受け取るPT-RSに関する情報を含むDCIを生成してもよい。
【００４６】
誤り訂正符号化部１０５は、入力される送信データ信号又はRRC生成部１０３から入力されるRRC信号を誤り訂正符号化し、誤り訂正符号化後の信号を変調部１０６に出力する。
【００４７】
変調部１０６は、誤り訂正符号化部１０５から入力される信号に対して変調処理を施し、変調後のデータ信号（RRC信号を含む場合もある）を信号割当部１０７に出力する。
【００４８】
信号割当部１０７は、DMRS、変調部１０６から入力されるデータ信号、PT-RS生成部１０２から入力されるPT-RS、又は、DCI生成部１０４から入力されるDCIを、時間・周波数領域にマッピングし、マッピング後の信号を送信部１０８に出力する。この際、信号割当部１０７は、制御部１０１から入力されるスケジューリング情報に基づいて、quasi-same phase noiseグループに属するアンテナポートのうち、１つのアンテナポートにPT-RSをマッピングする。
【００４９】
送信部１０８は、信号割当部１０７から入力される信号に対して、搬送波を用いた周波数変換などの無線送信処理を行い、無線送信処理後の信号をアンテナ１０９に出力する。
【００５０】
アンテナ１０９は、送信部１０８から入力される信号を移動局２００に向けて放射する。
【００５１】
［移動局の構成］
図５は、本実施の形態に係る移動局２００（受信機）の構成を示すブロック図である。図５において、移動局２００は、アンテナ２０１と、受信部２０２と、信号分離部２０３と、制御部２０４と、チャネル推定部２０５と、CPE/ICI推定部２０６と、復調部２０７と、誤り訂正復号部２０８と、を有する。
【００５２】
アンテナ２０１は、基地局１００（図４を参照）から送信される信号を受信し、受信信号を受信部２０２に出力する。
【００５３】
受信部２０２は、アンテナ２０１から入力される受信信号に対して、周波数変換などの無線受信処理を行い、無線受信処理後の信号を信号分離部２０３に出力する。
【００５４】
信号分離部２０３は、まず、受信部２０２から入力される信号の中からDCIを分離し、DCIを制御部２０４に出力する。そして、信号分離部２０３は、制御部２０４から入力されるスケジューリング情報（PT-RSに関する情報（どのアンテナポートにPT-RSがマッピングされているかを示す情報）を含む）に基づいて、受信部２０２から入力される信号の中からデータ、DMRS、及び、PT-RSを分離する。信号分離部２０３は、分離した信号のうち、データを復調部２０７に出力し、DMRSをチャネル推定部２０５及びCPE/ICI推定部２０６に出力し、PT-RSをCPE/ICI推定部２０６に出力する。
【００５５】
制御部２０４は、信号分離部２０３から入力されるDCIに含まれる情報、及び／又は、誤り訂正符号部２０８から入力されるRRC信号に含まれる情報から、スケジューリング情報、及び、quasi-same phase noiseグループに関する情報を取得する。また、制御部２０４は、例えば、スケジューリング情報及びquasi-same phase noiseグループに関する情報に基づいて、基地局１００のどのアンテナポートにPT-RSがマッピングされているか（どのアンテナポートからPT-RSが送信されているか）を特定する。制御部２０４は、特定した結果（PT-RSに関する情報）を含むスケジューリング情報を信号分離部２０３に出力する。
【００５６】
チャネル推定部２０５は、信号分離部２０３から入力されるDMRSを用いてチャネル情報を推定し、チャネル推定情報（チャネル情報）を復調部２０７に出力する。
【００５７】
CPE/ICI推定部２０６は、信号分離部２０３から入力されるPT-RS及びDMRSを用いてCPE/ICIを推定し、CPE/ICI推定値を復調部２０７に出力する。すなわち、CPE/ICI推定部２０６は、quasi-same phase noiseグループに含まれるアンテナポートのうち、PT-RSがマッピングされたアンテナポートに対するCPE/ICIを推定する。
【００５８】
復調部２０７は、チャネル推定部２０５から入力されるチャネル推定情報及びCPE/ICI推定部２０６から入力されるCPE/ICI推定値を用いて、信号分離部２０３から入力されるデータ信号を復調する。復調部２０７は、復調信号を誤り訂正復号部２０８に出力する。なお、復調部２０７は、データ信号の復調の際、quasi-same phase noiseグループ内において、CPE/ICI推定部２０６で一部のアンテナポートに対して推定されたCPE/ICI推定値を、他のアンテナポートに対するCPE/ICI推定値として用いる。
【００５９】
誤り訂正復号部２０８は、復調部２０７から入力される復調信号を復号し、得られた受信データ信号を出力する。また、誤り訂正復号部２０８は、データ信号の中にRRC信号が含まれる場合、RRC信号を制御部２０４に出力する。
【００６０】
［基地局１００及び移動局２００の動作］
次に、基地局１００及び移動局２００の動作について詳細に説明する。
【００６１】
図６は基地局１００及び移動局２００の処理のフローを示すシーケンス図である。
【００６２】
ここで、基地局１００（送信機）内の局部発振器に起因する位相雑音（CPE/ICI）の影響について、テスト機器等（図示せず）によって、移動局２００（受信機）から見たCPE/ICIが事前に測定されていてもよい。そして、この測定結果（CPE/ICI測定値）に基づいてquasi-same phase noiseグループが決定される。すなわち、基地局１００のアンテナ１０９のどのアンテナポート間において、移動局２００（受信機）から見たCPE/ICIがほぼ同じであるか、すなわち、どのアンテナポートが同一のquasi-same phase noiseグループに属するかが決定される。基地局１００は、quasi-same phase noiseグループと、当該quasi-same phase noiseグループに属するアンテナポートとの対応付けを示す情報であるquasi-same phase noiseグループに関する情報を保持している。
【００６３】
基地局１００は、quasi-same phase noiseグループに関する情報をDCI及び／又はRRC信号等を用いて移動局２００に通知する（ＳＴ１０１）。例えば、基地局１００は、どのアンテナポートがQCL（Quasi Co-Location）であるかを示すパラメータと同じ制御信号のフィールドにおいて、quasi-same phase noiseグループに関する情報を送信してもよい。
【００６４】
図７は、４つのアンテナポート（Port 1-4）を用いるMIMOが適用される場合のquasi-same phase noiseグループに関する情報（２ビットのパラメータ）の一例を示す。
【００６５】
例えば、パラメータ‘00’は、Port 1-4の全てのCPE/ICIがほぼ同じであり、Port 1-4が同一のquasi-same phase noiseグループに属することを示す。
【００６６】
また、パラメータ‘01’は、Port 1-3のCPE/ICIがほぼ同じであり、Port 1-3が同一のquasi-same phase noiseグループに属し、Port 4のCPE/ICIが他のアンテナポートのCPE/ICIと異なることを示す。
【００６７】
また、パラメータ‘10’は、Port 1-2のCPE/ICIがほぼ同じであり、Port 1-2が同一のquasi-same phase noiseグループに属し、Port 3-4のCPE/ICIがほぼ同じであり、Port 3-4が同一のquasi-same phase noiseグループに属することを示す。すなわち、パラメータ‘10’は、Port 1-2とPort 3-4との間でCPE/ICIが異なることを示す。
【００６８】
また、パラメータ‘11’は、Port 1-2のCPE/ICIがほぼ同じであり、Port 1-2が同一のquasi-same phase noiseグループに属し、Port 1-2のCPE/ICIと、Port 3のCPE/ICIと、Port 4のCPE/ICIとがそれぞれ異なることを示す。
【００６９】
なお、図７に示すパラメータは一例であり、図７に示すパラメータに限定されず、これ以外のパラメータを用いてもよい。
【００７０】
次に、基地局１００は、quasi-same phase noiseグループに関する情報に基づいて、各quasi-same phase noiseグループに含まれるアンテナポートの中から、PT-RSをマッピングする一部のアンテナポート（例えば、１つのアンテナポート）を決定する（ＳＴ１０２）。
【００７１】
なお、基地局１００は、quasi-same phase noiseグループが複数ある場合、それぞれのグループ毎に１つのアンテナポートを、PT-RSをマッピングするアンテナポートとして決定する。例えば、図７に示すパラメータ‘00’の場合、基地局１００は、PT-RSをマッピングするアンテナポートとして、Port 1-4の中から１つのアンテナポートを選択する。また、図７に示すパラメータ‘01’の場合、基地局１００は、PT-RSをマッピングするアンテナポートとして、Port 1-3の中から１つのアンテナポートと、Port 4を選択する。また、図７に示すパラメータ‘10’の場合、基地局１００は、PT-RSをマッピングするアンテナポートとして、Port 1-2の中から１つのアンテナポートと、Port 3-4の中から１つのアンテナポートを選択する。また、図７に示すパラメータ‘11’の場合、基地局１００は、PT-RSをマッピングするアンテナポートとして、Port 1-2の中から１つのアンテナポートと、Port 3と、Port 4を選択する。
【００７２】
そして、基地局１００は、ＳＴ１０２で決定したアンテナポートにPT-RSをマッピングし、PT-RS、データ、及び、PT-RSをマッピングしたアンテナポートの情報（PT-RSに関する情報）を含むスケジューリング情報を移動局２００へ送信する（ＳＴ１０３）。
【００７３】
移動局２００は、ＳＴ１０１で受信したquasi-same phase noiseグループに関する情報、及び、ＳＴ１０３で受信したPT-RSに関する情報に基づいて、同一のquasi-same phase noiseグループに属するアンテナポートのうち、PT-RSがマッピングされているアンテナポートを特定する（ＳＴ１０４）。
【００７４】
そして、移動局２００は、ＳＴ１０４において特定したアンテナポートで送信されたPT-RSを受信し、受信したPT-RSを用いてCPE/ICIを推定する（ＳＴ１０５）。また、移動局２００は、ＳＴ１０４において特定したアンテナポートと同一のquasi-same phase noiseグループに属する他のアンテナポートのCPE/ICIを、ＳＴ１０５において上記特定したアンテナポートに対して推定したCPE/ICI（CPE/ICI推定値）と同じであると見なす。
【００７５】
そして、移動局２００は、ＳＴ１０５において推定した各アンテナポートのCPE/ICI推定値を用いて、ＳＴ１０３で受信したデータ信号を復調する（ＳＴ１０６）。
【００７６】
このように、本実施の形態では、基地局１００（送信機）においてほぼ同じCPE/ICIを有するアンテナポートは、同一のquasi-same phase noiseグループとしてグループ化される。これにより、例えば、異なる局部発振器を使用するアンテナポート（局部発振器を共有しないアンテナポート）であっても、測定されるCPE/ICIがほぼ同じであれば同一のquasi-same phase noiseグループに含まれる。または、同一の局部発振器を使用するアンテナポート（局部発振器を共有するアンテナポート）であっても、測定されるCPE/ICIが異なる場合には、異なるquasi-same phase noiseグループにそれぞれ含まれる。
【００７７】
すなわち、基地局１００が備える複数のアンテナポートは、局部発振器を共有するか否かに依らず、実際に測定されるCPE/ICIの測定値が同一であるか否か（quasi-sameであるか否か）によって、PT-RSを共有するquasi-same phase noiseグループにそれぞれグループ化される。
【００７８】
そして、基地局１００は、quasi-same phase noiseグループにそれぞれ含まれるアンテナポートのうちの一部のアンテナポート（例えば、１つのアンテナポート）にPT-RSをマッピングして送信する。また、移動局２００は、quasi-same phase noiseグループに属するアンテナポートのうち一部のアンテナポートから送信されたPT-RSを用いてCPE/ICI推定値を推定し、当該CPE/ICI推定値を、quasi-same phase noiseグループに属する他のアンテナポートのCPE/ICI推定値としても用いる。
【００７９】
以上、本実施の形態によれば、PT-RS送信の設定のために、送信機又は受信機の局部発振器を共有するアンテナポートに限らず、CPE/ICIの測定値がほぼ同じと見なせるアンテナポートの集合をquasi-same phase noiseグループとして定義し、各quasi-same phase noiseグループの中から１つのアンテナポートがPT-RSの送信アンテナポートとして設定される。
【００８０】
これにより、PT-RSをマッピングするアンテナポートを、例えば、CPE/ICIが同じであると見なされるアンテナポートのうちの１つのアンテナポートに限定できるので、PT-RSのオーバヘッドを低減することができる。すなわち、CPE/ICIが同じであるアンテナポートにそれぞれPT-RSがマッピングされ、リソースが無駄に消費されることを防ぐことができる。このように、本実施の形態によれば、PT-RSの送信アンテナポート数を適切に決定することができ、PT-RSを適切なアンテナポートから送信することができる。
【００８１】
（実施の形態２）
［通信システムの概要］
本実施の形態では、上りリンクのPT-RSのマッピング方法について説明する。
【００８２】
本実施の形態に係る通信システムは、移動局３００（送信機）及び基地局４００（受信機）を備える。例えば、移動局３００は、高い周波数帯かつ高度の変調多値数を用いる。
【００８３】
［移動局の構成］
図８は、本実施の形態に係る移動局３００（送信機）の構成を示すブロック図である。図８において、移動局３００は、制御部３０１と、PT-RS生成部３０２と、RRC生成部３０３と、UCI（Uplink Control Information）生成部３０４と、誤り訂正符号化部３０５と、変調部３０６と、信号割当部３０７と、送信部３０８と、アンテナ３０９と、受信部３１０と、信号分離部３１１と、復調部３１２と、誤り訂正復号部３１３とを有する。
【００８４】
制御部３０１は、送受信に使用するアンテナポートのうち、どのアンテナポート群がquasi-same phase noiseグループであるかを示す情報（quasi-same phase noiseグループに関する情報）をRRC生成部３０３及び/又はUCI生成部３０４に出力する。
【００８５】
また、制御部３０１は、信号分離部３１１から入力されるDCIに含まれる情報（PT-RSに関する情報）に基づいて、PT-RSを含む信号のスケジューリング情報を取得し、スケジューリング情報をPT-RS生成部３０２及び信号割当部３０７に出力する。すなわち、スケジューリング情報は基地局４００において設定される。
【００８６】
PT-RS生成部３０２は、制御部３０１から入力されるスケジューリング情報に基づいて、PT-RSを生成し、生成したPT-RSを信号割当部３０７に出力する。
【００８７】
RRC生成部３０３は、quasi-same phase noiseグループに関する情報を制御部３０１から受け取ったときに、quasi-same phase noiseグループに関する情報を含むRRC信号を生成し、生成したRRC信号を誤り訂正符号化部３０５に出力する。
【００８８】
UCI生成部３０４は、quasi-same phase noiseグループに関する情報を制御部３０１から受け取ったときに、quasi-same phase noiseグループに関する情報を含むUCIを生成し、生成したUCIを信号割当部３０７に出力する。
【００８９】
誤り訂正符号化部３０５は、入力される送信データ信号又はRRC生成部３０３から入力されるRRC信号を誤り訂正符号化し、誤り訂正符号化後の信号を変調部３０６に出力する。
【００９０】
変調部３０６は、誤り訂正符号化部３０５から入力される信号に対して変調処理を施し、変調後のデータ信号（RRC信号を含む場合もある）を信号割当部３０７に出力する。
【００９１】
信号割当部３０７は、制御部３０１から入力されるスケジューリング情報に基づいて、DMRS、変調部３０６から入力されるデータ信号、PT-RS生成部３０２から入力されるPT-RS、又は、UCI生成部３０４から入力されるUCIを、時間・周波数領域にマッピングし、マッピング後の信号を送信部３０８に出力する。この際、信号割当部３０７は、制御部３０１から入力されるスケジューリング情報に基づいて、quasi-same phase noiseグループに属するアンテナポートのうち、１つのアンテナポートにPT-RSをマッピングする。
【００９２】
送信部３０８は、信号割当部３０７から入力される信号に対して、搬送波を用いた周波数変換などの無線送信処理を行い、無線送信処理後の信号をアンテナ３０９に出力する。
【００９３】
アンテナ３０９は、送信部３０８から入力される信号を基地局４００に向けて放射する。また、アンテナ３０９は、基地局４００から送信される信号を受信し、受信信号を受信部３１０に出力する。
【００９４】
受信部３１０は、アンテナ３０９から入力される受信信号に対して、周波数変換などの無線受信処理を行い、無線受信処理後の信号を信号分離部３１１に出力する。
【００９５】
信号分離部３１１は、受信部３１０から入力される信号の中からDCIと、データ又は参照信号とを分離し、DCIを制御部３０１に出力し、データ信号又は参照信号を復調部３１２に出力する。
【００９６】
復調部３１２は、信号分離部３１１から入力される参照信号を用いてデータ信号を復調する。復調部３１２は、復調信号を誤り訂正復号部３１３に出力する。
【００９７】
誤り訂正復号部３１３は、復調部３１２から入力される復調信号を復号し、得られた受信データ信号を出力する。
【００９８】
［基地局の構成］
図９は、本実施の形態に係る基地局４００（受信機）の構成を示すブロック図である。図９において、基地局４００は、アンテナ４０１と、受信部４０２と、信号分離部４０３と、制御部４０４と、チャネル推定部４０５と、CPE/ICI推定部４０６と、復調部４０７と、誤り訂正復号部４０８と、DCI生成部４０９と、誤り訂正符号化部４１０と、変調部４１１と、信号割当部４１２と、送信部４１３とを有する。
【００９９】
アンテナ４０１は、移動局３００（図８を参照）から送信される信号を受信し、受信信号を受信部４０２に出力する。また、アンテナ４０１は、送信部４１３から入力される信号を移動局３００に向けて放射（送信）する。
【０１００】
受信部４０２は、アンテナ４０１から入力される受信信号に対して、周波数変換などの無線受信処理を行い、無線受信処理後の信号を信号分離部４０３に出力する。
【０１０１】
信号分離部４０３は、まず、受信部４０２から入力される信号の中からUCIを分離し、UCIを制御部４０４に出力する。そして、信号分離部４０３は、制御部４０４から入力されるスケジューリング情報に基づいて、受信部４０２から入力される信号の中からデータ、DMRS、及び、PT-RSを分離する。信号分離部４０３は、分離した信号のうち、データを復調部４０７に出力し、DMRSをチャネル推定部４０５及びCPE/ICI推定部４０６に出力し、PT-RSをCPE/ICI推定部４０６に出力する。
【０１０２】
制御部４０４は、信号分離部４０３から入力されるUCIに含まれる情報、及び／又は、誤り訂正符号部４０８から入力されるRRC信号に含まれる情報から、quasi-same phase noiseグループに関する情報（どのアンテナポートがquasi-same phase noiseグループであるかを示す情報）を取得する。また、制御部４０４は、例えば、quasi-same phase noiseグループに関する情報に基づいて、移動局３００のどのアンテナポートにPT-RSをマッピングするかを決定し、決定した結果（PT-RSに関する情報）を含むスケジューリング情報を信号分離部４０３及びDCI生成部４０９に出力する。
【０１０３】
チャネル推定部４０５は、信号分離部４０３から入力されるDMRSを用いてチャネル情報を推定し、チャネル推定情報（チャネル情報）を復調部４０７に出力する。
【０１０４】
CPE/ICI推定部４０６は、信号分離部４０３から入力されるPT-RS及びDMRSを用いてCPE/ICIを推定し、CPE/ICI推定値を復調部４０７に出力する。すなわち、CPE/ICI推定部４０６は、quasi-same phase noiseグループに含まれるアンテナポートのうち、PT-RSがマッピングされたアンテナポートに対するCPE/ICIを推定する。
【０１０５】
復調部４０７は、チャネル推定部４０５から入力されるチャネル推定情報及びCPE/ICI推定部４０６から入力されるCPE/ICI推定値を用いて、信号分離部４０３から入力されるデータ信号を復調する。復調部４０７は、復調信号を誤り訂正復号部４０８に出力する。なお、復調部４０７は、データ信号の復調の際、quasi-same phase noiseグループ内において、CPE/ICI推定部４０６で一部のアンテナポートに対して推定されたCPE/ICI推定値を、他のアンテナポートに対するCPE/ICI推定値として用いる。
【０１０６】
誤り訂正復号部４０８は、復調部４０７から入力される復調信号を復号し、得られた受信データ信号を出力する。また、誤り訂正復号部４０８は、データ信号の中にRRC信号が含まれる場合、RRC信号を制御部４０４に出力する。
【０１０７】
DCI生成部４０９は、制御部４０４から入力されるスケジューリング情報（PT-RSに関する情報を含む）を含むDCIを生成し、生成したDCIを信号割当部４１２に出力する。
【０１０８】
誤り訂正符号化部４１０は、入力される送信データ信号を誤り訂正符号化し、誤り訂正符号化後の信号を変調部４１１に出力する。
【０１０９】
変調部４１１は、誤り訂正符号化部４１０から入力される信号に対して変調処理を施し、変調後のデータ信号を信号割当部４１２に出力する。
【０１１０】
信号割当部４１２は、変調部４１１から入力される信号、及び、DCI生成部４０９から入力されるDCIを、時間・周波数領域にマッピングし、マッピング後の信号を送信部４１３に出力する。
【０１１１】
送信部４１３は、信号割当部４１２から入力される信号に対して、搬送波を用いた周波数変換などの無線送信処理を行い、無線送信処理後の信号をアンテナ４０１に出力する。
【０１１２】
［移動局３００及び基地局４００の動作］
次に、移動局３００及び基地局４００の動作について詳細に説明する。
【０１１３】
図１０は移動局３００及び基地局４００の処理のフローを示すシーケンス図である。
【０１１４】
ここで、移動局３００（送信機）内の局部発振器に起因する位相雑音（CPE/ICI）の影響について、実施の形態１と同様、テスト機器等（図示せず）によって、基地局４００（受信機）から見たCPE/ICIが事前に測定されていてもよい。そして、この測定結果（CPE/ICI測定値）に基づいてquasi-same phase noiseグループが決定される。すなわち、移動局３００のアンテナ３０９のどのアンテナポート間において、基地局４００（受信機）から見たCPE/ICIがほぼ同じであるか、すなわち、どのアンテナポートが同一quasi-same phase noiseグループに属するかが決定される。移動局３００は、quasi-same phase noiseグループと、当該quasi-same phase noiseグループに属するアンテナポートとの対応付けを示す情報であるquasi-same phase noiseグループを示すquasi-same phase noiseグループに関する情報を保持している。
【０１１５】
移動局３００は、quasi-same phase noiseグループに関する情報をUCI及び／又はRRC信号等を用いて基地局４００に通知する（ＳＴ２０１）。例えば、実施の形態１と同様、図７に示すようなquasi-same phase noiseグループに関する情報が通知されてもよい。
【０１１６】
次に、基地局４００は、ＳＴ２０１で通知されたquasi-same phase noiseグループに関する情報に基づいて、各quasi-same phase noiseグループに含まれるアンテナポートの中から、移動局３００においてPT-RSがマッピングされる一部のアンテナポート（例えば、１つのアンテナポート）を決定する（ＳＴ２０２）。なお、基地局４００は、quasi-same phase noiseグループが複数ある場合、それぞれのグループ毎に１つのアンテナポートを、移動局３００においてPT-RSがマッピングされるアンテナポートとして決定する。
【０１１７】
そして、基地局４００は、ＳＴ２０２で決定した、PT-RSがマッピングされるアンテナポートを示す情報（PT-RSに関する情報）を含むスケジューリング情報（例えば、DCI）を移動局３００へ送信する（ＳＴ２０３）。
【０１１８】
移動局３００は、quasi-same phase noiseグループに関する情報、及び、ＳＴ２０３で受信したPT-RSに関する情報に基づいて、同一のquasi-same phase noiseグループに属するアンテナポートのうち、PT-RSをマッピングするアンテナポートを特定する（ＳＴ２０４）。
【０１１９】
そして、移動局３００は、データ信号を送信するとともに、特定したアンテナポートにマッピングしたPT-RSを送信する（ＳＴ２０５）。
【０１２０】
基地局４００は、ＳＴ２０２で決定したアンテナポートで送信されたPT-RSを受信し、受信したPT-RSを用いてCPE/ICIを推定する（ＳＴ２０６）。また、基地局４００は、ＳＴ２０２において決定したアンテナポートと同一のquasi-same phase noiseグループに属する他のアンテナポートのCPE/ICIを、ＳＴ２０６において上記決定したアンテナポートに対して推定したCPE/ICI（CPE/ICI推定値）と同じであると見なす。
【０１２１】
そして、基地局４００は、ＳＴ２０６において推定した各アンテナポートのCPE/ICI推定値を用いて、ＳＴ２０５で受信したデータ信号を復調する（ＳＴ２０７）。
【０１２２】
このように、本実施の形態では、移動局３００（送信機）においてほぼ同じCPE/ICIを有するアンテナポートは、同一のquasi-same phase noiseグループとしてグループ化される。これにより、実施の形態１と同様、例えば、異なる局部発振器を使用するアンテナポートであっても、測定されるCPE/ICIがほぼ同じであれば同一のquasi-same phase noiseグループに含まれる。または、同一の局部発振器を使用するアンテナポートであっても、測定されるCPE/ICIが異なる場合には、異なるquasi-same phase noiseグループにそれぞれ含まれる。
【０１２３】
すなわち、移動局３００が備える複数のアンテナポートは、局部発振器を共有するか否かに依らず、実際に測定されるCPE/ICIの測定値が同一であるか否か（quasi-sameであるか否か）によって、PT-RSを共有するquasi-same phase noiseグループにそれぞれグループ化される。
【０１２４】
そして、移動局３００は、quasi-same phase noiseグループにそれぞれ含まれるアンテナポートのうちの一部のアンテナポート（例えば、１つのアンテナポート）にPT-RSをマッピングして送信する。また、基地局４００は、quasi-same phase noiseグループに属するアンテナポートのうち一部のアンテナポートから送信されたPT-RSを用いてCPE/ICI推定値を推定し、当該CPE/ICI推定値を、quasi-same phase noiseグループに属する他のアンテナポートのCPE/ICI推定値としても用いる。
【０１２５】
以上、本実施の形態によれば、PT-RS送信の設定のために、送信機又は受信機の局部発振器を共有するアンテナポートに限らず、CPE/ICIの測定値がほぼ同じと見なせるアンテナポートの集合をquasi-same phase noiseグループとして定義し、各quasi-same phase noiseグループの中から１つのアンテナポートがPT-RSの送信アンテナポートとして設定される。
【０１２６】
これにより、実施の形態１と同様、PT-RSをマッピングするアンテナポートを、例えば、CPE/ICIが同じであると見なされるアンテナポートのうちの１つのアンテナポートに限定できるので、PT-RSのオーバヘッドを低減することができる。すなわち、CPE/ICIが同じであるアンテナポートにそれぞれPT-RSがマッピングされ、リソースが無駄に消費されることを防ぐことができる。このように、本実施の形態によれば、PT-RSの送信アンテナポート数を適切に決定することができ、PT-RSを適切なアンテナポートから送信することができる。
【０１２７】
以上、本開示の各実施の形態について説明した。
【０１２８】
（他の実施の形態）
（１）上記実施の形態では、quasi-same phase noiseグループにおいてPT-RSがマッピングされるアンテナポートを基地局から移動局へ明示的に通知する場合（例えば、図６のＳＴ１０３又は図１０のＳＴ２０３）について説明した。しかし、PT-RSがマッピングされるアンテナポートは、例えば、quasi-same phase noiseグループの中のアンテナポートの少なくとも１つが固定的に規定されていてもよい。または、quasi-same phase noiseグループにおいてPT-RSがマッピングされるアンテナポートは、基地局から移動局へ通知される他のパラメータと関連付けられて暗黙的に通知されてもよい。
【０１２９】
例えば、送信機（基地局１００又は移動局３００）は、quasi-same phase noiseグループ内のアンテナポートの中で、所定のインデックスのアンテナポート（例えば、アンテナポート番号が最も低い（又は最も高い）アンテナポート）にPT-RSをマッピングしてもよい。同様に、受信機（移動局２００又は基地局４００）は、quasi-same phase noiseグループ内のアンテナポートの中で、送信機との間で規定されている所定のインデックスのアンテナポートにPT-RSがマッピングされていると判断すればよい。これにより、どのアンテナポートにPT-RSが実際にマッピングされているのかを示す情報を基地局から移動局へ通知する必要が無く、シグナリングを削減することができる。
【０１３０】
または、送信機（基地局１００又は移動局３００）が備える複数のアンテナポートについて、quasi-same phase noiseグループの各々に属するアンテナポート数と、当該アンテナポート数のquasi-same phase noiseグループに属するアンテナポートのインデックス（アンテナポート番号）との組み合わせが固定的に規定されていてもよい。
【０１３１】
例えば、quasi-same phase noiseグループの各々に属するアンテナポート数と、当該アンテナポート数のquasi-same phase noiseグループに属するアンテナポートのインデックスとの組み合わせが１パターン規定されていてもよい。例えば、送信機が４つのアンテナポート（Port1-4）を備える場合について説明する。Port1-4全てが同一のquasi-same phase noiseグループに属する場合、このグループに属するアンテナポートのインデックスの組み合わせとして１パターンが規定される。同様に、Port1-4のうち3つのアンテナポートが属するquasi-same phase noiseグループ（第１グループと呼ぶ）と、１つのアンテナポートが属するquasi-same phase noiseグループ（第２グループと呼ぶ）とが存在する場合、第１グループに属するアンテナポートのインデックス、及び、第２グループに属するアンテナポートのインデックスの組み合わせとして１パターンが規定される。他のアンテナ数を有するquasi-same phase noiseグループにおけるアンテナパターンのインデックスについても同様である。
【０１３２】
また、この際、例えば、アンテナポート数が多いquasi-same phase noiseグループに属するアンテナポートから順番に、低い(または高い)インデックス（アンテナポート番号）が割り当てられてもよい。
【０１３３】
これにより、受信機（移動局２００又は基地局４００）は、送信機から通知されるquasi-same phase noiseグループに関する情報に示される各quasi-same phase noiseグループのアンテナポート構成に対して、各quasi-same phase noiseグループに属するアンテナポート（インデックス）を一意に特定することができる。また、或るアンテナポート数のquasi-same phase noiseグループにおけるアンテナポート（インデックス）の候補を、例えば１パターンとすることで、同数のアンテナポートを含むquasi-same phase noiseグループに対するアンテナポートの組み合わせを複数個通知する必要が無くなるので、quasi-same phase noiseグループに関する情報を通知するためのシグナリング量（ビット数）の増加を防ぐことができる。なお、同数のアンテナポートを含むquasi-same phase noiseグループに対するアンテナポートの組み合わせは１パターンに限らず、２パターン以上でもよい。
【０１３４】
また、これにより、実施の形態１（例えば、図６を参照）において、移動局２００は、ＳＴ１０１の通知を必要とせず、ＳＴ１０３の通知によって、各quasi-same phase noiseグループに属するアンテナポート（インデックス）を特定できる。さらに、移動局２００が各グループ内の、PT-RSがマッピングされるアンテナポートを特定できる場合には、基地局１００は、ＳＴ１０１においてquasi-same phase noiseグループに関する情報を通知しなくてもよい。
【０１３５】
例えば、送信機が４つのアンテナポート（Port1-4）を備える場合について説明する。基地局１００が移動局２００に対し、ＳＴ１０３において、各quasi-same phase noiseグループに属するアンテナポート（インデックス）のうち最も低いインデックスが「1と4」であると通知する。このとき、移動局２００は、Port1-3が属するquasi-same phase noiseグループと、Port4が属するquasi-same phase noiseグループとが存在すると判断することができる。この場合、移動局２００は、ＳＴ１０１における、quasi-same phase noiseグループに関する情報を通知される必要がない（すなわち、基地局１００はＳＴ１０１の通知を行わなくてよい）。
【０１３６】
（２）上記実施の形態では、ＳＴ１０１やＳＴ２０１における、quasi-same phase noiseグループに属するアンテナポートの通知（例えば、図７を参照）、および、ＳＴ１０３やＳＴ２０３におけるPT-RSをマッピングするアンテナポートの明示的／暗黙的通知には、他の参照信号（例えば、DMRS、チャネル状態情報推定用参照信号（CSI-RS: Channel State Information Reference Signal）、サウンディング用参照信号(SRS: Sounding Reference Signal）、時間周波数トラッキング用参照信号（TRS: Tracking Reference Signal））または同期信号（SS: Synchronization Signal）のポート番号を利用してもよい。また、ＳＴ１０２やＳＴ２０２における、PT-RSをマッピングするアンテナポートの決定においても、上記他の参照信号のポート番号を利用してもよい。
【０１３７】
例えば、上りリンクにおいて、送信機（移動局３００）が４つのアンテナポートを備える場合について説明する。ＳＴ２０１において、移動局３００は基地局４００に対し、「SRSポート0と2に対応するアンテナポートが同一quasi-same phase noiseグループに属し、かつ、SRSポート1と3に対応するアンテナポートが別のquasi-same phase noiseグループに属する」という情報を通知してもよい。また基地局４００は、ＳＴ２０２において、「PT-RSをSRSポート0と1に対応するそれぞれのアンテナポートにマッピングする」と決定し、またＳＴ２０３において、この情報を移動局３００に対し明示的／暗黙的に通知してもよい。
【０１３８】
（３）上記実施の形態では、quasi-same phase noiseグループに含まれるアンテナポートのうち１つのアンテナポートにPT-RSがマッピングされる場合について説明したが、quasi-same phase noiseグループにおいてPT-RSがマッピングされるアンテナポートは１つに限定されない。PT-RSがマッピングされるアンテナポートは２つ以上でもよい。
【０１３９】
（４）上記実施の形態において用いた「CPE/ICI補正」とは、「CPEを補正」すること、「ICIを補正」すること、又は、「CPE及びICIの双方を補正」することを意味する。
【０１４０】
（５）上記実施の形態において用いた“Quasi-same phase noiseグループ”はこのとおりの名称ではなく、他の名称（例えば、単に“Quasi-same phase noise”）で呼ばれてもよい。
【０１４１】
（６）“Quasi-same phase noiseグループ”であるアンテナポートの集合内の各アンテナポートから送信される信号は、送信機側の同じ又は異なる局部発振器によって周波数変換されてもよい。同様に、どのアンテナポートが”quasi-same phase noiseグループ”であるかについては、基地局又は移動局の各々に実装される送信部の回路構成又は送信部の回路構成のうちの局部発振器のそれぞれの性能又は個数に依存してもよい。
【０１４２】
（７）上記実施の形態において、例えば、同じ品番の製品のように、複数の基地局又は移動局の個体における送信部の回路構成、又は、送信部の回路構成のうちの局部発振器のそれぞれの性能又は個数などが同じと見なせる場合、それらの個体において、「どのアンテナポートが”quasi-same phase noiseグループ”であるか」を同じと見なしてもよい。さらに、この場合、１つの個体において”quasi-same phase noiseグループ”に関して測定又は試験を行い、他の全ての個体においても「どのアンテナポートが”quasi-same phase noiseグループ”であるか」を測定又は試験した結果と同じと見なしてもよい。
【０１４３】
（８）上記実施の形態において、PT-RSは、移動局毎に、異なる配置密度、異なる割り当てアンテナポートの数が設定されることが想定されている。これに伴い、下りリンクでは、”quasi-same phase noiseグループ”であるアンテナポートの情報は、基地局から、それぞれの移動局に対して固有に（UE specificに）通知されてもよい。一方、上りリンクでも、”quasi-same phase noiseグループ”であるアンテナポートの情報は、それぞれ移動局から基地局に対して固有に通知されてもよい。
【０１４４】
（９）上記実施の形態（図１）ではスロットの長さを14シンボルと想定しているが、スロットの長さは14シンボルに限定されず、例えば、スロットの長さは7シンボル又は他のシンボル数でもよい。
【０１４５】
（１０）制御チャネル(PDCCH（Physical Downlink Control CHannel）、PUCCH（Physical Uplink Control CHannel）)とデータのチャネル(PDSCH（Physical Downlink Shared CHannel）、PUSCH（Physical Uplink Shared CHannel）)とが周波数多重される場合には、そのシンボルにPT-RSがマッピングされてもよい。
【０１４６】
（１１）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４７】
本開示の送信機は、複数のアンテナポートがグループ化された少なくとも１つのグループにそれぞれ含まれるアンテナポートのうちの一部のアンテナポートに、位相トラッキング用参照信号をマッピングし、前記グループは、前記複数のアンテナポート毎に測定された位相雑音の測定値に基づいて決定されている、割当回路と、データ信号及び前記位相トラッキング用参照信号を送信する送信回路と、を具備する。
【０１４８】
本開示の送信機において、前記複数のアンテナポートのうち、前記測定値が同一であるアンテナポートは同一の前記グループに属し、前記測定値が異なるアンテナポートは互いに異なる前記グループにそれぞれ属する。
【０１４９】
本開示の送信機において、前記送信回路は、さらに、前記グループと、前記グループに属するアンテナポートとの対応付けを示す情報を受信機に送信する。
【０１５０】
本開示の受信機は、データ信号、及び、送信機の複数のアンテナポートがグループ化された少なくとも１つのグループにそれぞれ含まれるアンテナポートのうちの一部のアンテナポートから送信された位相トラッキング用参照信号を受信し、前記グループは、前記複数のアンテナポート毎に測定された位相雑音の測定値に基づいて決定されている、受信回路と、前記位相トラッキング用参照信号から推定される位相雑音推定値を用いて、前記データ信号を復調する復調回路と、を具備し、前記復調回路は、前記グループに含まれる前記一部のアンテナポート以外の他のアンテナポートに対する位相雑音推定値として、前記一部のアンテナポートに対する前記位相雑音推定値を用いる。
【０１５１】
本開示の送信方法は、複数のアンテナポートがグループ化された少なくとも１つのグループにそれぞれ含まれるアンテナポートのうちの一部のアンテナポートに、位相トラッキング用参照信号をマッピングし、前記グループは、前記複数のアンテナポート毎に測定された位相雑音の測定値に基づいて決定され、データ信号及び前記位相トラッキング用参照信号を送信する。
【０１５２】
本開示の受信方法は、データ信号、及び、送信機の複数のアンテナポートがグループ化された少なくとも１つのグループにそれぞれ含まれるアンテナポートのうちの一部のアンテナポートから送信された位相トラッキング用参照信号を受信し、前記グループは、前記複数のアンテナポート毎に測定された位相雑音の測定値に基づいて決定され、前記位相トラッキング用参照信号から推定される位相雑音推定値を用いて、前記データ信号を復調し、前記データ信号の復調において、前記グループに含まれる前記一部のアンテナポート以外の他のアンテナポートに対する位相雑音推定値として、前記一部のアンテナポートに対する前記位相雑音推定値が用いられる。
【０１５３】
本開示の通信方法は、送信機の複数のアンテナポート毎に位相雑音の測定値が測定され、前記位相雑音の測定値に基づいて、前記複数のアンテナポートが少なくとも１つのグループにグループ化され、前記少なくとも１つのグループにそれぞれ含まれるアンテナポートのうちの一部のアンテナポートに、位相トラッキング用参照信号をマッピングし、データ信号及び前記位相トラッキング用参照信号を送信し、前記データ信号、及び、前記グループに含まれる前記一部のアンテナポートから送信された前記位相トラッキング用参照信号を受信し、前記位相トラッキング用参照信号から推定される位相雑音推定値を用いて、前記データ信号を復調し、前記データ信号の復調において、前記グループに含まれる前記一部のアンテナポート以外の他のアンテナポートに対する位相雑音推定値として、前記一部のアンテナポートに対する前記位相雑音推定値が用いられる。
【０１５４】
本開示の一態様は、移動通信システムに有用である。
【符号の説明】
【０１５５】
１００，４００  基地局
１０１，２０４，３０１，４０４  制御部
１０２，３０２  PT-RS生成部
１０３，３０３  RRC生成部
１０４，４０９  DCI生成部
１０５，３０５，４１０  誤り訂正符号化部
１０６，３０６，４１１  変調部
１０７，３０７，４１２  信号割当部
１０８，３０８，４１３  送信部
１０９，２０１，３０９，４０１  アンテナ
２００，３００  移動局
２０２，３１０，４０２  受信部
２０３，３１１，４０３  信号分離部
２０５，４０５  チャネル推定部
２０６，４０６  CPE/ICI推定部
２０７，３１２，４０７  復調部
２０８，３１３，４０８  誤り訂正復号部
３０４  UCI生成部
【図１】
2019031096.tif 000003
【図２】
2019031096.tif 000004
【図３】
2019031096.tif 000005
【図４】
2019031096.tif 000006
【図５】
2019031096.tif 000007
【図６】
2019031096.tif 000008
【図７】
2019031096.tif 000009
【図８】
2019031096.tif 000010
【図９】
2019031096.tif 000011
【図１０】
2019031096.tif 000012
【国際調査報告】
2019031096.tif 000013
2019031096.tif 000014
2019031096.tif 000015
2019031096.tif 000016